(57)【要約】【課題】  竿受けに増設用竿受け部材を簡単に増設できる。増設した増設用竿受け部材に邪魔されず竿受けを収納できる。【解決手段】  天井１に下方に開口した収納用凹部２を設ける。収納用凹部２に対し可動吊り下げ手段３により物干し竿４を支持するための竿受け５を吊り下げる。可動吊り下げ手段３で竿受け５を引き上げて竿受け５を収納用凹部２に収納する状態と、可動吊り下げ手段３で竿受け５を引き下げて収納用凹部２より下方に引き下げた状態とが自在となっている。竿受け５に増設用竿受け部材７を取付ける。増設用竿受け部材７の物干し竿増設支持部８を竿受け５より下位置において竿受け５の側端より外側方に突出させる。可動吊り下げ手段３で竿受け５を引き上げて竿受け５を収納用凹部２に収納した状態で物干し竿増設支持部８を天井１よりも下方に位置させる。【選択図】        図１
2006102383.tif 000002
【特許請求の範囲】
【請求項１】
天井に下方に開口した収納用凹部を設け、収納用凹部に対して可動吊り下げ手段により物干し竿を支持するための竿受けを吊り下げ、可動吊り下げ手段により竿受けを引き上げて竿受けを収納用凹部に収納する状態と、可動吊り下げ手段により竿受けを引き下げて収納用凹部よりも下方に引き下げた状態とが自在となった昇降式物干し装置において、竿受けに増設用竿受け部材を取付け、該増設用竿受け部材の物干し竿増設支持部を竿受けより下位置において竿受けの側端より外側方に突出させ、可動吊り下げ手段により竿受けを引き上げて竿受けを収納用凹部に収納した状態で物干し竿増設支持部を天井よりも下方に位置させて成ることを特徴とする昇降式物干し装置。
【請求項２】
竿受けに係合部を設け、増設用竿受け部材に被係合部を設け、係合部を被係合部に係合すると共に、増設用竿受け部材を竿受けにねじ固定して成ることを特徴とする請求項１記載の昇降式物干し装置。
【発明の詳細な説明】
【技術分野】
【０００１】
本発明は、可動吊り下げ手段により吊り下げた竿受けを昇降させる昇降式物干し装置に関するものである。
【背景技術】
【０００２】
従来から天井に下方に開口した収納用凹部を設け、収納用凹部に対して可動吊り下げ手段により物干し竿を支持するための竿受けを吊り下げ、可動吊り下げ手段により竿受けを引き上げて竿受けを収納用凹部に収納する状態と、可動吊り下げ手段により竿受けを引き下げて収納用凹部よりも下方に引き下げた状態とが自在となった昇降式物干し装置が知られている。（例えば、特許文献１、特許文献２参照）
この特許文献１や特許文献２に示されるような従来例にあっては、非使用時に可動吊り下げ手段により竿受けを引き上げて収納用凹部に収納することで外観を良くし且つ邪魔にならないようにできるという特徴を有している。この非使用時における外観を良くするということに関し上記特許文献１や特許文献２にあっては、更に、収納状態で、収納用凹部の開口をスクリーンや蓋を閉じて外観を向上させるようになっている。
【０００３】
しかしながら、上記の従来例においては、竿受けは収納用凹部にちょうど収納できるサイズとなっており、このため、物干し竿の数を増すために竿受けを増設することができなかった。
【０００４】
したがって、予め決められた支持本数以上の物干し竿を支持できる昇降式物干し装置が欲しいという顧客の要望に対応できず、また、昇降式物干し装置を取付け後、竿受けを増設したいという顧客の要望があった場合にも対応できなかった。
【特許文献１】特開平１０−２１１３９６号公報
【特許文献２】特開平１０−２１１３９４号公報
【発明の開示】
【発明が解決しようとする課題】
【０００５】
本発明は上記の従来の問題点に鑑みて発明したものであって、竿受けに対して増設用竿受け部材を簡単に増設でき、しかも、増設状態で引き上げた場合、増設用竿受け部材を増設していない場合と同様にして竿受けを天井の収納用凹部に収納できると共に、増設した増設用竿受け部材に邪魔されることなく竿受けの収納ができる昇降式物干し装置を提供することを課題とするものである。
【課題を解決するための手段】
【０００６】
上記課題を解決するために本発明に係る昇降式物干し装置は、天井１に下方に開口した収納用凹部２を設け、収納用凹部２に対して可動吊り下げ手段３により物干し竿４を支持するための竿受け５を吊り下げ、可動吊り下げ手段３により竿受け５を引き上げて竿受け５を収納用凹部２に収納する状態と、可動吊り下げ手段３により竿受け５を引き下げて収納用凹部２よりも下方に引き下げた状態とが自在となった昇降式物干し装置６において、竿受け５に増設用竿受け部材７を取付け、該増設用竿受け部材７の物干し竿増設支持部８を竿受け５より下位置において竿受け５の側端より外側方に突出させ、可動吊り下げ手段３により竿受け５を引き上げて竿受け５を収納用凹部２に収納した状態で物干し竿増設支持部８を天井１よりも下方に位置させて成ることを特徴とするものである。
【０００７】
このような構成とすることで、増設用竿受け部材７を取付けない状態、つまり、竿受け５だけの場合には非使用時に竿受け５を引き上げて収納用凹部２に収納するという従来と同様の使用形態ができるにもかかわらず、増設が必要な場合には増設用竿受け部材７を竿受け５に取付けるだけで簡単に増設ができ、しかも、増設した際、増設した増設用竿受け部材７の物干し竿増設支持部８が天井１に当たることなく竿受け５を増設しない場合と同様に収納用凹部２に収納できるものであり、このように増設しない時も増設する時も非使用時に竿受け５を引き上げて収納用凹部２に収納するという基本形態を維持でき、この結果、増設する場合であっても竿受け５を昇降自在に吊り下げる可動吊り下げ手段３の昇降動作を増設しない場合と同じにでき、収納用凹部２に竿受け５を収納するタイプの昇降式物干し装置において増設可能であるからといって機構が複雑にならないものである。
【０００８】
また、竿受け５に係合部９を設け、増設用竿受け部材７に被係合部１０を設け、係合部９を被係合部１０に係合すると共に、増設用竿受け部材７を竿受け５にねじ固定することが好ましい。
【０００９】
このような構成とすることで、増設用竿受け部材７を増設するに当たって、既に昇降式物干し装置６が天井１に施工済みの場合であっても、被係合部１０を係合部９に係合して仮支持した状態でねじ具１１により増設用竿受け部材７を竿受け５に固定するという取付けができ、高所における増設用竿受け部材７の取付け作業が容易にでき、特に、施工後に増設しようとする場合、専門施工業者でなくても簡単に取付けることができる。
【発明の効果】
【００１０】
本発明は、上記のように、竿受けに対して増設用竿受け部材を簡単に増設できる。また、引き上げた場合、増設用竿受け部材を増設していない場合と同様にして竿受けを天井の収納用凹部に収納できると共に、増設した増設用竿受け部材に邪魔されることなく竿受けの収納ができ、増設しない時も増設する時も非使用時に竿受けを引き上げて収納用凹部に収納するという基本形態を維持できて可動吊り下げ手段の昇降動作を増設しない場合と同じにできて機構が複雑にならない。
【発明を実施するための最良の形態】
【００１１】
以下、本発明を添付図面に示す実施形態に基いて説明する。
【００１２】
天井１には下方に開口した収納用凹部２が設けてある。添付図面に示す実施形態では天井１に開口を設け、この天井１の開口の開口縁部の上面側に取付け桟１３を取付け、下方が開口したボックス１２を天井裏に配設すると共に上記取付け桟１３に固着し、ボックス１２の下開口を天井１と略同一高さとしてあり、この天井１部分において開口するボックス１２は下方が開口した細長い四角箱状をしており、内部を仕切り３６で仕切ってあり、内部の下部が収納用凹部２となっている。
【００１３】
ボックス１２内の仕切り３６よりも上部の長手方向の略中央部にはモータ１４と、モータ１４により正逆回転自在に回転する巻き取りドラム１５が内装してある。巻き取りドラム１５には２本のワイヤ１６のそれぞれの一端部が固着してあり、２本のワイヤ１６のうち１本のワイヤ１６はボックス１２内の長手方向の両端部のうち一方の端部の上部に設けたプーリ１７に掛け回されて仕切り３６の一端部の隙間３７を通過して下方に垂下してあり、他方のワイヤ１６はボックス１２内の長手方向の両端部のうち他方の端部の上部に設けたプーリ１７に掛け回されて仕切り３６の他端部の隙間３７を通過して下方に垂下してあり、両ワイヤ１６の下端部にはそれぞれ竿受け５が固定してある。
【００１４】
ボックス１２内の上部の長手方向の両端部にはそれぞれ伸縮自在な支持アーム１８の上端部が取付けてあり、伸縮自在な支持アーム１８は仕切り３６の両端部の隙間３７を通過して下方に出入自在となっており、支持アーム１８の下端部は上記両側の竿受け５に取付けてある。
【００１５】
伸縮自在な支持アーム１８は２つのアーム材１９をＸ字状に回動自在に枢支したＸ状リンクを上下に多数枢支連結したパンタグラフ機構となっており、最上部のＸ状リンクを構成する２つのアーム材１９のうち一方の上端部をボックス１２内の上部において長手方向の端部の側壁部分に回動自在に枢支し、最上部のＸ状リンクを構成する２つのアーム材１９のうち他方の上端部に取付けた軸２１をボックス１２内の上部において長手方向の端部の側壁部分に設けた横長孔部２２にスライド自在に嵌め込んである。また、最下部のＸ状リンクを構成する２つのアーム材１９のうち一方の下端部を竿受け５に回動自在に枢支し、最下部のＸ状リンクを構成する２つのアーム材１９のうち他方の下端部に取付けた軸２３を竿受け５に設けた横長孔部２４にスライド自在に嵌め込んである。
【００１６】
竿受け５には予め決められた数の竿支持部２５が横方向に複数個設けてあり（図においては３個設けてある）、両竿受け５の対向する竿支持部２５には物干し竿４の両端部を嵌め込み支持してある。
【００１７】
モータ１４を一方向に回転すると両ワイヤ１６がそれぞれ巻き取りドラム１５に巻き取られていって竿受け５及び竿受け５に支持された物干し竿４が引き上げられて上昇し、最大引き上げ状態で図７、図８に示すように、竿受け５及び竿受け５に支持された物干し竿４が収納用凹部２に収納される。
【００１８】
この場合、ワイヤ１６が巻き取りドラム１５に巻き取られていくにしたがって軸２１、軸２３が横長孔部２２、２４をスライドし、伸縮自在なパンタグラフ状の支持アーム１８が上下方向に縮まって竿受け５が収納用凹部２に収納された状態で支持アーム１８が収納用凹部２に収納される。
【００１９】
一方、モータ１４を他方向に回転すると両ワイヤ１６がそれぞれ巻き取りドラム１５から引き出されていって竿受け５及び竿受け５に支持された物干し竿４が引き下げられて下降し、収納用凹部２から下方に出て、図５、図６のように、天井１よりも任意の下方位置で停止する。
【００２０】
この場合、ワイヤ１６が巻き取りドラム１５から引き出されていくにしたがって軸２１、軸２３が横長孔部２２、２４を上記と逆にスライドし、伸縮自在なパンタグラフ状の支持アーム１８が伸張して竿受け５と共に支持アーム１８の上端部を除いた部分が収納用凹部２から下方に出る。
【００２１】
上記の竿受け５の昇降動作において、ワイヤ１６が竿受け５の荷重を支持しながら昇降を行い、支持アーム１８がワイヤ１６による吊り下げ及び昇降の際の竿受け５のぐらつきを防止しており、本実施形態においては、上記ワイヤ１６、支持アーム１８が収納用凹部２に対して物干し竿４を昇降自在に吊り下げ支持する可動吊り下げ手段３を構成している。
【００２２】
竿受け５は図９に示すように、板状をした主板２６の下部にＬ状片２７を一体に連設したもので、例えば金属製である。この竿受け５の主板２６には大径半孔２８ａの下部にこれよりも小径の小径半孔２８ｂが連続しただるま孔２８が形成してあり、図９の実施形態では主板２６の左右両端部と中央部に合計３個のだるま孔２８が形成してある。また、Ｌ状片２７の小径半孔２８ｂと対向した箇所に半円状孔２９が形成してある。物干し竿４は小径半孔２８ｂと同じ径であって、大径半孔２８ａに挿通した状態で下方に落とし込むことで小径半孔２８ｂ、半円状孔２９に嵌め込み支持される。したがって、本実施形態では小径半孔２８ｂと半円状孔２９の対により竿支持部２５が構成してある。
【００２３】
主板２６の下部の各小径半孔２８ｂ間にはそれぞれ引掛け孔９ａが設けてあり、本実施形態ではこの引掛け孔９ａが係合部９を構成しており、各引掛け孔９ａの上方に挿通孔３０が設けてある。
【００２４】
上記のような構成の昇降式物干し装置６は、非使用時は、前述のようにモータ１４を一方向に回転してワイヤ１６を巻き取ることで竿受け５及び物干し竿４を天井１に形成した収納用凹部２に収納し、室内における日常生活において竿受け５、物干し竿４等が邪魔にならないようにするとともに竿受け５、物干し竿４等が目障りとならないようにすることができる。
【００２５】
また、使用時は、前述のようにモータ１４を反対方向に回転してワイヤ１６を引き出すことで竿受け５及び物干し竿４を天井１に形成した収納用凹部２から下方に下降させ、任意の下降位置で物干し竿４に洗濯物を掛けて干すことができる。
【００２６】
ところで、本発明は増設が必要な場合には、図１０のような増設用竿受け部材７を竿受け５に取付けることで簡単に増設することが可能である。
【００２７】
増設用竿受け部材７は、図１０に示すように断面Ｕ字状をしたＵ字状板３１の一方の縦片の中央部から上方に突片３２を突設して構成してある。Ｕ字状板３１の両端部には両縦片に対向するように半円状孔３３が設けてあって、この対向する一対の半円状孔３３が物干し竿増設支持部８を構成している。突片３２の上部の両端部及び中央部にはそれぞれ凹所３４を形成してあり、更に、突片３２の上部の中央の凹所３４と両端部の凹所３４との間の中間部分に略逆Ｌ状をした引掛け片１０ａを形成してあり、本実施形態では引掛け片１０ａが被係合部１０を構成している。また、各引掛け片１０ａの上方には挿通孔３５が設けてある。
【００２８】
そして、増設用竿受け部材７を増設するに当たっては、竿受け５を収納用凹部２から下方に下降させた状態で、増設用竿受け部材７に設けた被係合部１０である引掛け片１０ａを竿受け５に設けた係合部９である引掛け孔９ａに引掛け係合することで位置合わせした状態で仮取付けする。この仮取付け状態で増設用竿受け部材７の突片３２が竿受け５の主板２６の下部に重ねられると共に挿通孔３０、３５が連通する。その後、挿通孔３０、３５にねじ具１１を挿通してねじ具１１により増設用竿受け部材７を竿受け５に固着するものである。ここで、突片３２に設けた凹所３４は竿受け５の竿支持部２５に対向し、竿受け５の竿支持部２５に支持した物干し竿４に突片３２が干渉しないようにしてある。
【００２９】
このように増設用竿受け部材７を増設するに当たって、既に昇降式物干し装置６が天井１に施工済みの場合にあっても、被係合部１０を係合部９に係合して仮支持した状態でねじ具１１により増設用竿受け部材７を竿受け５に固定するという取付けができるので、高所における増設用竿受け部材７の取付け作業が容易にでき、特に、施工後に増設しようとする場合、専門施工業者でなくても簡単に取付けることができることになる。
【００３０】
このように増設用竿受け部材７を竿受け５に取付けた増設状態において、増設用竿受け部材７の竿受け５と重ねられる突片３２よりも下方の部位、つまり、Ｕ字状板３１が竿受け５よりも下方に位置するものである。また、Ｕ字状板３１の両端部はそれぞれ竿受け５の両端部よりも外側方に突出し、該突出部分に上記竿増設支持部８が存在する。したがって、竿増設支持部８は竿受け５より下位置において竿受け５の側端より外側方に突出させた位置に存在することになる。
【００３１】
増設用竿受け部材７の竿増設支持部８には増設用の物干し竿４を嵌め込んで支持するものであり、この増設用の物干し竿４は前記竿受け５に支持している複数の物干し竿４のうち両側の物干し竿４よりも更に外側方で且つ下方に位置するものである。
【００３２】
そして、本発明の昇降式物干し装置６は、このように増設用物干し部材７を取付けた場合も、前述の増設用物干し部材７を取付けない場合と同様にして、使用しない時（非使用時）は、前述のようにモータ１４を一方向に回転してワイヤ１６を巻き取ることで竿受け５及び竿受け５に支持した物干し竿４を天井１に形成した収納用凹部２に前述と同様に収納する（図１、図２参照）。この時、増設用竿受け部材７のＵ字状板３１の中間部が収納用凹部２の下開口から下に飛び出して位置し、更に、Ｕ字状板３１の両端部の竿増設支持部８及び竿増設支持部８に支持した増設用の物干し竿４が収納用凹部２の下開口よりも下方で且つ外側方にずれた位置で天井１の下方に僅かな隙間を介して位置するものである。したがって、増設用物干し部材７を取付け、更にこの増設用物干し部材７に増設用の物干し竿４を支持させた状態で、これら増設用物干し部材７や増設用の物干し竿４が天井１に当たったりすることなく、前述の増設用物干し部材７を取付けない場合と同様にして、竿受け５及び竿受け５に支持した物干し竿４を収納用凹部２に収納するという基本形態を維持することができ、この結果、増設する場合であっても竿受け５を昇降自在に吊り下げる可動吊り下げ手段３の昇降動作を増設しない場合と同じにでき、例えば、収納の際のワイヤ１６の巻き取り量が変らない。
【００３３】
本発明において使用時には、図３、図４に示すように、昇降式物干し装置６を増設用物干し部材７を取付けた場合に竿受け５、増設用竿受け部材７を下降させるのであるが、この場合、増設した物干し竿４が外側で且つ下方に位置するため、物干し竿４の数が増えたといえども、竿受け５に支持している物干し竿４に洗濯物を干したり、干した洗濯物を取り外す作業をする際、増設用の物干し竿４がさほど邪魔にならず、作業性が良くなるものである。
【００３４】
なお、竿受け５に支持する物干し竿４は伸縮自在となったものを使用してもよく、収縮した状態で収納用凹部２内に収納できるようにし、引き下ろして使用する際には物干し竿４を収納用凹部２よりも長く伸張させ（図示を省略している）て使用するようにしてもよい。
【００３５】
一方、増設用の竿受け５は、伸縮自在になったものを使用してもよいが、伸縮しないものを使用してもよく、この場合、収納用凹部２よりも長い寸法のもので伸縮しないものを使用してもよい。
【図面の簡単な説明】
【００３６】
【図１】本発明の増設用竿受け部材を増設した場合に下降させた状態を示す正面図である。
【図２】同上の側面図である。
【図３】同上の増設用竿受け部材を増設した場合に竿受けを収納用凹部に収納した状態を示す正面図である。
【図４】同上の側面図である。
【図５】同上の増設用竿受け部材を増設しない場合に下降させた状態を示す正面図である。
【図６】同上の側面図である。
【図７】同上の同上の増設用竿受け部材を増設しない場合に竿受けを収納用凹部に収納した状態を示す正面図である。
【図８】同上の側面図である。
【図９】同上に用いる竿受けを示し、（ａ）は正面図であり、（ｂ）は側面図であり、（ｃ）は背面図である。
【図１０】同上に用いる増設用竿受け部材を示し、（ａ）は正面図であり、（ｂ）は側面図であり、（ｃ）は背面図である。
【符号の説明】
【００３７】
１  天井
２  収納用凹部
３  可動吊り下げ手段
４  物干し竿
５  竿受け
６  昇降式物干し装置
７  増設用竿受け部材
８  物干し竿増設支持部
９  係合部
１０  被係合部
【図１】
2006102383.tif 000003
【図２】
2006102383.tif 000004
【図３】
2006102383.tif 000005
【図４】
2006102383.tif 000006
【図５】
2006102383.tif 000007
【図６】
2006102383.tif 000008
【図７】
2006102383.tif 000009
【図８】
2006102383.tif 000010
【図９】
2006102383.tif 000011
【図１０】
2006102383.tif 000012